(57)【要約】【課題】使用したい容器体を簡単な操作で取り外すことができる連結容器を提案する。【解決手段】本発明の連結容器は、内容物を収容可能な複数の容器体１等と、容器体１等同士の間に介在して容器体１等を直列状に連結する連結体３とを備え、容器体１等は、容器体１等の一端部及び他端部の少なくとも一方に、連結体３と結合させる容器体側磁石１４を有し、連結体３は、連結体３の一端部において、一の容器体１等が有する容器体側磁石１４と結合する第一磁石３３を有するとともに、連結体３の他端部において、他の容器体１等が有する容器体側磁石１４と結合する第二磁石３４を有する。【選択図】図１
2019147599.tif 000002
【特許請求の範囲】
【請求項１】
内容物を収容可能な複数の容器体と、該容器体同士の間に介在して該容器体を直列状に連結する連結体とを備える連結容器であって、
前記容器体は、該容器体の一端部及び他端部の少なくとも一方に、前記連結体と結合させる容器体側磁石を有し、
前記連結体は、該連結体の一端部において、一の前記容器体が有する前記容器体側磁石と結合する第一磁石を有するとともに、該連結体の他端部において、他の前記容器体が有する前記容器体側磁石と結合する第二磁石を有する連結容器。
【請求項２】
前記第一磁石と前記第二磁石は、前記容器体側磁石に対する磁極が同極である請求項１に記載の連結容器。
【請求項３】
前記連結体は、該連結体の一端部及び他端部の少なくとも一方において、前記容器体に設けた容器体側凹部に嵌まり込んで該容器体を回り止め保持する連結体側凸部、又は前記容器体に設けた容器体側凸部に嵌まり込んで該容器体を回り止め保持する連結体側凹部を有する請求項１又は２に記載の連結容器。
【請求項４】
前記容器体は、該容器体の一端部及び他端部の少なくとも一方において、前記容器体側凹部又は前記容器体側凸部を複数有するとともに、前記容器体側磁石を複数の該容器体側凹部又は該容器体側凸部の間に有するものであり、
前記連結体は、該連結体の一端部において、前記連結体側凸部又は前記連結体側凹部を複数有するとともに、前記第一磁石を複数の該連結体側凸部又は該連結体側凹部の間に有し、且つ、該連結体の他端部において、該連結体側凸部又は該連結体側凹部を複数有するとともに、前記第二磁石を複数の該連結体側凸部又は該連結体側凹部の間に有するものである、請求項３に記載の連結容器。
【請求項５】
前記連結体は、前記第一磁石と前記第二磁石との間に介在して該第一磁石と該第二磁石とに磁力吸着される強磁性体を有する請求項１〜４の何れか一項に記載の連結容器。
【請求項６】
前記第一磁石と前記第二磁石は、十字状に重ねて配置される請求項１〜５の何れか一項に記載の連結容器。
【請求項７】
前記容器体における前記連結体と結合していない側の一端部又は他端部に対して装着可能であって、内容物を収容可能又は塗布具を収容可能なキャップ体を備える請求項１〜６の何れか一項に記載の連結容器。
【発明の詳細な説明】
【技術分野】
【０００１】
本発明は、内容物を収容可能な複数の容器体を連結させた連結容器に関するものである。
【背景技術】
【０００２】
従来、例えば化粧料を内容物として収容する容器としては、化粧料が個別に収容された容器体を複数連結させることが可能な連結容器が知られている（特許文献１参照）。化粧時には複数種類の化粧料を使用するため、例えば外出先で化粧を行う際には複数の容器体を持ち歩く必要があるが、このような連結容器であれば一つにまとめて持ち運べるという利点がある。
【先行技術文献】
【特許文献】
【０００３】
【特許文献１】特開２００４−１８０８号公報
【発明の概要】
【発明が解決しようとする課題】
【０００４】
ところで従来の連結容器は、例えば容器体の一端部に雄ねじを設けるとともに他端部には雌ねじを設け、雄ねじと雌ねじを螺合させることによって容器体同士の連結を可能とするねじ機構を採用することが一般的である。しかし、ねじ機構による場合には、使用したい容器体を取り外すに当たってこれを回転させなければならないため、取り外しに手間がかかることになる。
【０００５】
本発明は、このような問題点を解決することを課題とするものであり、使用したい容器体を簡単な操作で取り外すことができる連結容器を提供することを目的とする。
【課題を解決するための手段】
【０００６】
本発明は、内容物を収容可能な複数の容器体と、該容器体同士の間に介在して該容器体を直列状に連結する連結体とを備える連結容器であって、
前記容器体は、該容器体の一端部及び他端部の少なくとも一方に、前記連結体と結合させる容器体側磁石を有し、
前記連結体は、該連結体の一端部において、一の前記容器体が有する前記容器体側磁石と結合する第一磁石を有するとともに、該連結体の他端部において、他の前記容器体が有する前記容器体側磁石と結合する第二磁石を有する連結容器である。
【０００７】
前記第一磁石と前記第二磁石は、前記容器体側磁石に対する磁極が同極であることが好ましい。
【０００８】
前記連結体は、該連結体の一端部及び他端部の少なくとも一方において、前記容器体に設けた容器体側凹部に嵌まり込んで該容器体を回り止め保持する連結体側凸部、又は前記容器体に設けた容器体側凸部に嵌まり込んで該容器体を回り止め保持する連結体側凹部を有することが好ましい。
【０００９】
前記容器体は、該容器体の一端部及び他端部の少なくとも一方において、前記容器体側凹部又は前記容器体側凸部を複数有するとともに、前記容器体側磁石を複数の該容器体側凹部又は該容器体側凸部の間に有するものであり、
前記連結体は、該連結体の一端部において、前記連結体側凸部又は前記連結体側凹部を複数有するとともに、前記第一磁石を複数の該連結体側凸部又は該連結体側凹部の間に有し、且つ、該連結体の他端部において、該連結体側凸部又は該連結体側凹部を複数有するとともに、前記第二磁石を複数の該連結体側凸部又は該連結体側凹部の間に有するものであることが好ましい。
【００１０】
前記連結体は、前記第一磁石と前記第二磁石との間に介在して該第一磁石と該第二磁石とに磁力吸着される強磁性体を有することが好ましい。
【００１１】
前記第一磁石と前記第二磁石は、十字状に重ねて配置されることが好ましい。
【００１２】
前記容器体における前記連結体と結合していない側の一端部又は他端部に対して装着可能であって、内容物を収容可能又は塗布具を収容可能なキャップ体を備えることが好ましい。
【発明の効果】
【００１３】
本発明の連結容器において、容器体は、その一端部及び他端部の少なくとも一方において容器体側磁石を備えていて、連結体は、その一端部において一の容器体が有する容器体側磁石と結合する第一磁石を備えるとともに、その他端部において他の容器体が有する容器体側磁石と結合する第二磁石を備えている。すなわち、これらの磁石によって連結体を介して容器体同士を連結しているため、使用したい容器体を引っ張れば、これを取り外すことができる。
【００１４】
第一磁石の磁極と第二磁石の磁極は、容器体側磁石に対して異なっていてもよい（例えば容器体側磁石に対する第一磁石の磁極をＮ極とし、第二磁石の磁極はＳ極として、第一磁石には結合側がＳ極になる容器体側磁石を持つ容器体を結合させ、第二磁石にはＮ極の容器体側磁石を持つ容器体を結合させるようにする）が、第一磁石と第二磁石の磁極を、容器体側磁石に対して同極にする場合（例えば容器体側磁石に対する第一磁石の磁極も第二磁石の磁極もＮ極とし、容器体の容器体側磁石は結合側がＳ極のみになるようにする）は、何れの容器体でも連結体に連結することが可能であるため、使い勝手が向上する。
【００１５】
また、従来のように雄ねじと雌ねじによって連結する場合、雄ねじと雌ねじを形成する部分は、強度の面からある程度の厚みが必要となり、それに応じて容器体全体も太くなるため、サイズの点で制約がある。一方、本発明の連結容器は、雄ねじと雌ねじによって連結するものでないため、従来のねじ機構を採用した連結容器に比してサイズの自由度が高くなる。
【００１６】
また連結体に、連結体の一端部及び他端部の少なくとも一方において、容器体に設けた容器体側凹部に嵌まり込んで容器体を回り止め保持する連結体側凸部、又は容器体に設けた容器体側凸部に嵌まり込んで容器体を回り止め保持する連結体側凹部を設ける場合は、一つの容器体を回転させれば他の容器体も回転させることができる。このため、例えば使用したい容器体が外筒を回転させることによって内容物を繰り出す操出容器である場合は、これを取り外して単独の状態で使用することができるうえ、他の容器体と直列状に連結した状態（長さを長くしてより持ちやすくした状態）でも、他の容器体を回転させることによって内容物を繰り出すことができる。
【００１７】
また容器体を、容器体の一端部及び他端部の少なくとも一方において、容器体側凹部又は容器体側凸部を複数有するとともに、容器体側磁石を複数の容器体側凹部又は容器体側凸部の間に有するものとし、連結体を、連結体の一端部において、連結体側凸部又は連結体側凹部を複数有するとともに、第一磁石を複数の連結体側凸部又は連結体側凹部の間に有するものとし、且つ、連結体の他端部において、連結体側凸部又は連結体側凹部を複数有するとともに、第二磁石を複数の連結体側凸部又は連結体側凹部の間に有するものであるとする場合は、複数の凹部や凸部によって、より強固に回り止め機能を発揮させることができる。また容器体に、例えば容器体側凹部及び容器体側磁石を設けるにあたり、これらを容器体の軸線方向にずらして設けることも可能であるが、上述したように容器体側磁石を複数の容器体側凹部の間に設ける場合は、容器体側凹部と容器体側磁石を、容器体の軸線方向に揃えて配置することができるため、容器体の長さを抑えることができる。なお、連結体に対して連結体側凹部の間に第一磁石等を設ける場合も、同様にして連結体の長さを抑えることができる。
【００１８】
また、本発明における第一磁石と第二磁石は、容器体側磁石に対する磁極が同極であるため、第一磁石と第二磁石とが向かい合う磁極も同極になる。このため、第一磁石と第二磁石とを近づけると互いに反発することになるが、第一磁石と第二磁石との間に介在して第一磁石と第二磁石とに磁力吸着される強磁性体を設ける場合は、強磁性体を介して２つの磁石を密着させることができるため、連結体の長さを抑えることができる。特に、第一磁石と第二磁石を十字状に重ねて配置する場合は、反発力が抑制されて強磁性体に対して強固に磁力吸着させることができる。
【００１９】
また、容器体における連結体と結合していない側の一端部又は他端部に対して装着可能であって、内容物を収容可能又は塗布具を収容可能なキャップ体を設ける場合は、これらも含めて一つにまとめることができるため、持ち運びが容易になる。
【図面の簡単な説明】
【００２０】
【図１】本発明に従う連結容器の一実施形態を示す、側面視での断面図である。
【図２】（ａ）は、図１の連結容器を構成する一の容器体（塗布具付容器体）を示す、側面視での断面図であって、（ｂ）は、塗布具付容器体が備える容器体側磁石の斜視図である。
【図３】図１の連結容器を構成する他の容器体（操出式容器体）を示す、側面視での断面図である。
【図４】図２、図３に示した容器体が備える容器体磁石ホルダーを示した図であって、（ａ）は平面図であり、（ｂ）は（ａ）に示すＡ−Ａ線に沿う断面図であり、（ｃ）は底面図であり、（ｄ）は（ｃ）に示すＢ−Ｂ線に沿う断面図である。
【図５】図１の連結容器を構成する連結体を示す、側面視での断面図である。
【図６】図５の連結体が備える連結体磁石カバーを示した図であって、（ａ）は平面図であり、（ｂ）は（ａ）に示すＣ−Ｃ線に沿う断面図であり、（ｃ）は底面図である。
【図７】図５の連結体が備える連結体磁石ホルダーを示した図であって、（ａ）は平面図であり、（ｂ）は（ａ）に示すＤ−Ｄ線に沿う断面図であり、（ｃ）は底面図である。
【図８】図１の容器体を構成するキャップ体を示す、側面視での断面図である。
【図９】図２に示す塗布具付容器体（２つ）と、図５に示す連結体と、図８に示すキャップ体を連結させた連結容器の側面視での断面図である。
【図１０】更なる他の容器体（ロールオン式容器体）を示す、側面視での断面図である。
【図１１】更なる他の容器体（注出式容器体）を示す、側面視での断面図である。
【図１２】図１０に示すロールオン式容器体と、図１１に示す注出式容器体と、図５に示す連結体を連結させた連結容器の側面視での断面図である。
【図１３】図５に示した連結体の変形例を示す、側面視での断面図である。
【図１４】図１３に示す連結体と、図２に示す塗布具付容器体と、図３に示す操出式容器体と、図８に示すキャップ体を連結させた連結容器の側面視での断面図である。
【図１５】（ａ）は図３に示す操出式容器体の変形例を示す側面視での部分拡大断面図であって、（ｂ）は図２に示す塗布具付容器体の変形例を示す側面視での部分拡大断面図である。
【図１６】図１３に示す連結体と、図１５（ｂ）に示す塗布具付容器体と、図１５（ａ）に示す操出式容器体と、図８と構成が共通するキャップ体（図８のものよりも直径が大きくなっている）を連結させた連結容器の側面視での断面図である。
【発明を実施するための形態】
【００２１】
以下、図面を参照しながら本発明に従う連結容器の一実施形態について説明する。なお、本明細書等においては、各図面を見たときの方向に応じて、上、下、左、右の方向を記載することがあるが、本発明の連結容器が使用される向きを限定するものではない。
【００２２】
図１に示すように本実施形態の連結容器は、塗布具付容器体１と、操出式容器体２と、連結体３と、キャップ体４とを備えている。
【００２３】
まず、塗布具付容器体１について説明する。図２に示すように塗布具付容器体１は、容器本体１０と、塗布量調整部材１１と、塗布部材１２と、蓋体１３とを備えている。また蓋体１３には、容器体側磁石１４と、容器体磁石ホルダー１５が設けられている。
【００２４】
容器本体１０は、有底筒状をなす胴部１０ａと、胴部１０ａの上端部に連結する円筒状の口部１０ｂとを備えている。また口部１０ｂの外周面には、雄ねじ部１０ｃが設けられている。容器本体１０には、例えば液状の内容物が収容される。
【００２５】
塗布量調整部材１１は、口部１０ｂの内側に装着される塗布量調整部材本体部１１ａを備えている。塗布量調整部材本体部１１ａは、概略、円筒状をなすともに上端部には外向きフランジを備える形態となるものである。また塗布量調整部材本体部１１ａの内周面には、下向きに縮径する形状となるしごき部１１ｂが設けられている。なおしごき部１１ｂは、塗布部材１２に付着した余分な内容物を掻き落とすものであり、これにより内容物の塗布量を調整することができる。
【００２６】
塗布部材１２は、上端部が有底筒状をなすとともに下端部が棒状をなす塗布部材本体部１２ａと、塗布部材本体部１２ａの下端部に連結する塗布部１２ｂとを備えている。塗布部１２ｂは、容器本体１０に収容した内容物を、肌等の塗布先に塗布するものである。本実施形態の塗布部１２ｂは、例えばシリコーンゴムのような軟材質のもので棒状に形成されているが、へら状のものでもよい。また、ブラシ状や筆状のものでもよい。
【００２７】
蓋体１３は、有蓋筒状をなす基部１３ａを備えている。基部１３ａは、塗布部材本体部１２ａの上端部（有底筒状部分）に嵌合して、塗布部材１２を保持している。また基部１３ａの内周面には、雄ねじ部１０ｃに対応する雌ねじ部１３ｂが設けられている。更に基部１３ａの上面には、円筒状になる外周壁１３ｃが設けられている。
【００２８】
容器体側磁石１４は、図２（ｂ）のように棒状をなすものであり、横断面形状は矩形状に形成されている。また容器体側磁石１４は、図２（ｂ）に示すように容器体側磁石１４の長手方向が水平方向を向く姿勢において、上下方向に磁化されている（上部の磁極と下部の磁極が異なるように（例えば上部がＳ極で下部がＮ極になるように）磁化されている）。
【００２９】
容器体磁石ホルダー１５は、図４に示すように、円環状になる環状壁１５ａと、環状壁１５ａの端部に連結する底壁１５ｂを備えている。また底壁１５ｂの中央部１５ｃは、図４（ｂ）に示すように、下向きに開放したコ字状をなすような横断面形状であって、上端部が環状壁１５ａの上端部と同じ高さになるように突出している。これにより中央部１５ｃの内側には、横断面形状が矩形状をなしていて長く延在するとともに下方が開放する中央凹部１５ｄが形成されている。また中央部１５ｃの両外側には、図４（ａ）に示すように平面視で弓形（円を直線で切断した如き形状）になる一対の凹部（容器体側凹部）１５ｅが形成されている。
【００３０】
このような形態になる容器体磁石ホルダー１５は、図２（ａ）に示すように、中央凹部１５ｄに容器体側磁石１４を収容した状態で、環状壁１５ａが外周壁１３ｃに嵌合保持されている。なお、環状壁１５ａが嵌合保持される際、外周壁１３ｃの上端部は、図示のように環状壁１５ａに対して突出している。また環状壁１５ａを外周壁１３ｃで保持する際には、嵌合に替えて（併用してもよい）接着剤を使用したり、超音波溶着を利用したりするなど、種々の手法が採用可能である。また本実施形態の容器体側磁石１４は、上部がＳ極になる向きで保持されている。
【００３１】
次に、操出式容器体２について説明する。図３に示すように操出式容器体２は、ケース２０と、回転筒２１と、中継筒２２と、移動軸２３と、受け皿部材２４と、蓋体２５とを備えている。またケース２０の下部には、上述した容器体側磁石１４と、容器体磁石ホルダー１５が設けられている。
【００３２】
ケース２０は、有底筒状をなすケース本体部２０ａを備えている。ケース本体部２０ａの内周面には、上下方向に延在する溝部２０ｂが設けられている。またケース本体部２０ａの下端部には、円筒状になる外周壁２０ｃが設けられている。外周壁２０ｃの内側には、容器体側磁石１４を収容した状態で、容器体磁石ホルダー１５が嵌合保持されている。なお、容器体磁石ホルダー１５が嵌合保持される際、外周壁２０ｃの下端部は、図示のように環状壁１５ａに対して突出している。また容器体側磁石１４は、下部がＳ極になる向きで保持されている。
【００３３】
回転筒２１は、ケース本体部２０ａの上方に設けられる円筒部２１ａを備えている。円筒部２１ａの下端外周面には、図示のように爪状となる部位が形成されていて、ケース本体部２０ａに対して抜け止めされ、且つ回転可能に保持されている。また円筒部２１ａの下端内周面には、雌ねじ部２１ｂが設けられている。更に、雌ねじ部２１ｂの上方における円筒部２１ａの内周面には、上下方向に延在する溝部２１ｃが設けられている。ここで回転筒２１の内側には、例えば口紅のような棒状の内容物が収容される。
【００３４】
中継筒２２は、円筒状をなす基部２２ａを備えている。基部２２ａの下端には、外向きフランジ２２ｂが設けられている。なお、外向きフランジ２２ｂの外縁部は、溝部２０ｂに係合している。これにより中継筒２２は、ケース２０に対して上下方向に移動可能、且つ回転不能に保持される。また、外向きフランジ２２ｂの上方における基部２２ａの外周面には、雌ねじ部２１ｂに適合する雄ねじ部２２ｃが設けられている。そして基部２２ａの内周面には、雌ねじ部２２ｄが設けられている。
【００３５】
移動軸２３は、基部２２ａの内側に設けられる棒状部２３ａを備えている。棒状部２３ａの外周面には、雌ねじ部２２ｄに適合する雄ねじ部２３ｂが設けられている。
【００３６】
受け皿部材２４は、円板状をなすとともに回転筒２１の内側に収容された内容物を支持する板状部２４ａを備えている。板状部２４ａは、移動軸２３に対して嵌合保持されている。また板状部２４ａの外縁部は、溝部２１ｃに係合している。これにより板状部２４ａは、回転筒２１に対して上下方向に移動可能、且つ回転不能に保持される。
【００３７】
蓋体２５は、有蓋筒状をなすものであり、回転筒２１の上端部に取り外し可能に保持されている。
【００３８】
このような形態になる操出式容器体２は、蓋体２５を取り外しておき、ケース２０に対して回転筒２１を回転させると、回転筒２１の雌ねじ部２１ｂは中継筒２２の雄ねじ部２２ｃに螺合していて、且つ中継筒２２の外向きフランジ２２ｂはケース２０の溝部２０ｂに係合しているため、中継筒２２が上方へ移動する。またこの時、回転筒２１の溝部２１ｃは、受け皿部材２４の外縁部に係合しているため、回転筒２１とともに受け皿部材２４及び移動軸２３も回転する。なお、移動軸２３の雄ねじ部２３ｂは、中継筒２２の雌ねじ部２２ｄに螺合しているため、回転筒２１の回転に伴って、移動軸２３及び受け皿部材２４は中継筒２２に対して上昇する。このように本実施形態の操出式容器体２は、回転筒２１を回転させることによって、中継筒２２と移動軸２３はともに上昇するため、内容物を素早く繰り出すことができる。なお、回転筒２１を逆向きに回転すると、中継筒２２と移動軸２３はともに下降するため、繰り出した内容物を再び回転筒２１内に収容することが可能である。
【００３９】
次に、連結体３について説明する。図５に示すように連結体３は、連結体磁石カバー３０と、連結体磁石ホルダー３１と、強磁性体３２と、２つの磁石（第一磁石３３、第二磁石３４）とを備えている。
【００４０】
図５及び図６（ｂ）に示すように連結体磁石カバー３０は、有蓋筒状をなすとともに下端部を径方向外側に延在させた頂壁３０ａと、頂壁３０ａの外縁部に連結する円環状の環状壁３０ｂとを備えている。図６（ｂ）、（ｃ）に示すように頂壁３０ａの中央部下面には、第一磁石３３を収容する凹部３０ｃが設けられている。そして頂壁３０ａの上面には、図６（ａ）に示すように凹部３０ｃに対応する部位を挟んで両外側において、平面視で弓形になる一対の凸部（連結体側凸部）３０ｄが設けられている。ここで、連結体側凸部３０ｄは、図４に示した容器体磁石ホルダー１５の容器体側凹部１５ｅに嵌まるように形成されている。
【００４１】
図５及び図７（ｂ）に示すように連結体磁石ホルダー３１は、外周面が円形になる基部３１ａを備えている。基部３１ａの中央部には、矩形状をなし第二磁石３４を収容する凹部３１ｂが設けられている。また基部３１ａの上面には、円環状になる環状壁３１ｃが設けられていて、基部３１ａの下面には、図７（ｃ）に示すように凹部３１ｂに対応する部位を挟んで両外側において、底面視で弓形になる一対の凸部（連結体側凸部）３１ｄが設けられている。なお、連結体側凸部３１ｄは、図６（ａ）に示す連結体側凸部３０ｄと同形状であって、連結体側凸部３１ｄも、図４に示した容器体側凹部１５ｅに嵌まるように形成されている。
【００４２】
図５に示す強磁性体３２は、第一磁石３３及び第二磁石３４に磁気吸着される素材（例えば鉄やコバルトなど）で形成されるものである。本実施形態では、鉄素材によって形成されている。また本実施形態の強磁性体３２は、円板状に形成されている。
【００４３】
図５に示す第一磁石３３及び第二磁石３４は、容器体側磁石１４と略同形状に（図２（ｂ）参照）形成されている。第一磁石３３及び第二磁石３４は、強磁性体３２を挟んで十字状に重ねられるようにして連結体磁石カバー３０及び連結体磁石ホルダー３１に保持されている。なお、第一磁石３３及び第二磁石３４も上下方向に磁化されていて、図５に示すように本実施形態では、第一磁石３３については、上部がＮ極になる向きで保持され、また第二磁石３４については、下部がＮ極になる向きで保持されている。
【００４４】
次に、キャップ体４について説明する。図８に示すようにキャップ体４は、有蓋筒状をなす本体部４０を備えている。本体部４０の上面には、円環状になる嵌合壁４１が設けられている。嵌合壁４１の内側には、円柱状をなす塗布具４２（例えばパフなど）が設けられている。またキャップ体４は、有蓋筒状をなし、塗布具４２を覆って嵌合壁４１に着脱自在に保持される蓋体４３を備えている。
【００４５】
このような形態になる塗布具付容器体１、操出式容器体２、連結体３、及びキャップ体４を組み合わせるには、図１に示すように、塗布具付容器体１の容器体側凹部１５ｅに対して連結体３の連結体側凸部３１ｄを嵌め合わせる。ここで、塗布具付容器体１の容器体側磁石１４は連結体３側がＳ極であり（図２（ａ）参照）、連結体３の第二磁石３４は、塗布具付容器体１側がＮ極である（図５参照）。このため、容器体側磁石１４と第二磁石３４が磁力吸着して、塗布具付容器体１と連結体３が結合する。なおこの状態においては、図１の拡大図に示すように、塗布具付容器体１の外周壁１３ｃに対して連結体３の基部３１ａも嵌め合わされている。
【００４６】
また操出式容器体２の下方に設けた容器体磁石ホルダー１５は、図１では不図示であるが、塗布具付容器体１と同様に、図４に示す容器体側凹部１５ｅを備えている。そして、塗布具付容器体１と同様に、操出式容器体２の容器体側凹部１５ｅに対して連結体３の連結体側凸部３０ｄ（図５参照）を嵌め合わせると、操出式容器体２の容器体側磁石１４は連結体３側がＳ極であり（図３参照）、連結体３の第一磁石３３は操出式容器体２側がＮ極であるため（図５参照）、両者が磁力吸着して、操出式容器体２と連結体３を結合させることができる。なおこの状態においては、図１の拡大図に示すように、操出式容器体２の外周壁２０ｃに対して連結体３の頂壁３０ａも嵌め合わされている。
【００４７】
またキャップ体４は、本体部４０が蓋体２５に嵌合する大きさで形成されている。このため、図１に示すように本体部４０を蓋体２５に挿入することによって、キャップ体４は、操出式容器体２に保持される。
【００４８】
このように、図１に示す実施形態の連結容器によれば、塗布具付容器体１、操出式容器体２、及びキャップ体４を連結しているため、例えば外出時においても、これらをまとめて持ち運ぶことができる。また、使用時においては、塗布具付容器体１、操出式容器体２、及びキャップ体４の何れかを軸線方向に沿って引っ張れば、それを取り外すことができる。このため、塗布具付容器体１、操出式容器体２、及びキャップ体４を単体で使用する場合でも、簡単に取り外すことができる。また、容器体側凹部１５ｅに連結体側凸部３１ｄが挿入されていて、操出式容器体２は、連結体３及び塗布具付容器体１に対して回り止めされているため、連結体３及び操出式容器体２を結合した状態でも使用することができる。すなわち、塗布具付容器体１を片手で掴んだ状態で回転筒２１を回転させた場合、ケース２０は連結体３及び塗布具付容器体１に対して回転不能に保持されているため、中継筒２２及び移動軸２３を上昇させることができる。このように本実施形態の連結容器によれば、操出式容器体２等を単体で使用することも連結した状態で使用することも可能であるため、好みに合わせて使用することができる。
【００４９】
本発明に従う連結容器は、図１に示すものに限られず、例えば図９に示す組み合わせにしてもよい。図９の連結容器は、２つの塗布具付容器体１、連結体３、及びキャップ体４で構成されている。具体的には、一の塗布具付容器体１における容器体側磁石１４と連結体３の第一磁石３３とを磁力吸着させ、他の塗布具付容器体１における容器体側磁石１４と第二磁石３４とを磁力吸着させている。またキャップ体４は、他の塗布具付容器体１における連結体３と結合していない側の端部に挿入されて、嵌合保持されている。なお、２つの塗布具付容器体１に替えて、２つの操出式容器体２を使用してもよい。
【００５０】
また、本発明の連結容器は、塗布具付容器体１、操出式容器体２以外の容器体として、例えば図１０に示すロールオン式容器体５や、図１１に示す注出式容器体６を使用することも可能である。
【００５１】
図１０に示すようにロールオン式容器体５は、容器本体５０と、保持部材５１と、塗布ボール５２と、蓋体５３とを備えている。また蓋体５３には、先に説明した容器体側磁石１４と、容器体磁石ホルダー１５が設けられている。
【００５２】
容器本体５０は、有底筒状をなす胴部５０ａと、胴部５０ａの上端部に連結する円筒状の口部５０ｂとを備えている。また口部５０ｂの外周面には、雄ねじ部５０ｃが設けられている。容器本体５０には、例えば液状の内容物が収容される。
【００５３】
保持部材５１は、口部５０ｂに嵌合保持される有蓋筒状の本体部５１ａを備えている。本体部５１ａの中央部には、容器本体５０に収容した内容物を排出する排出口５１ｂが設けられている。また本体部５１ａの上面外縁部には、上方に向かって延在するとともに上端部がやや縮径する保持壁５１ｃが設けられている。
【００５４】
塗布ボール５２は球状をなすものであり、本体部５１ａと保持壁５１ｃで囲まれる空間内で、回転可能に抜け止め保持されている。また塗布ボール５２と保持壁５１ｃの上端部との間には、排出口５１ｂから排出された内容物が通る隙間が設けられている。これにより、容器本体５０を上下逆さまにした状態で塗布ボール５２を塗布先に押し当て、更に塗布ボール５２を転がすようにして容器本体５０を移動させると、塗布ボール５２の表面に付着した容器本体５０からの内容物を、塗布先に塗布することができる。
【００５５】
蓋体５３は、有蓋筒状をなす基部５３ａを備えている。基部５３ａの内周面には、雄ねじ部５０ｃに対応する雌ねじ部５３ｂが設けられている。また基部５３ａの上面には、円筒状になる外周壁５３ｃが設けられている。
【００５６】
また、容器体側磁石１４と容器体磁石ホルダー１５は、図２で説明した塗布具付容器体１と同様に、中央凹部１５ｄに容器体側磁石１４を収容した状態で、環状壁１５ａが外周壁５３ｃに嵌合保持されている。なお本実施形態の容器体側磁石１４も、上部がＳ極になる向きで保持されている。
【００５７】
そして注出式容器体６は、図１１に示すように、容器本体６０と、塗布部材６１と、蓋体６２とを備えている。また蓋体６２には、先に説明した容器体側磁石１４と、容器体磁石ホルダー１５が設けられている。
【００５８】
容器本体６０は、有底筒状をなす胴部６０ａと、胴部６０ａの上端部に連結する円筒状の口部６０ｂとを備えている。また口部６０ｂの外周面には、雄ねじ部６０ｃが設けられている。容器本体６０には、例えば液状の内容物が収容される。
【００５９】
塗布部材６１は、上面が傾斜するように設けられた塗布部材本体部６１ａを備えている。塗布部材本体部６１ａの下部内周壁には、雄ねじ部６０ｃに対応する雌ねじ部６１ｂが設けられていて、塗布部材６１は、口部６０ｂに保持されている。また塗布部材本体部６１ａの中央部には、容器本体６０からの内容物を排出する排出口６１ｄが設けられている。このような構成によって、容器本体６０を上下逆さまにして塗布部材６１を塗布先に押し当て、更に容器本体６０を移動させることにより、排出口６１ｄから排出する内容物を塗布部材６１で塗り拡げることができる。また塗布部材本体部６１ａの外周面には、蓋体６２を保持するための外向き凸部６１ｃが設けられている。
【００６０】
蓋体６２は、有蓋筒状をなす基部６２ａを備えている。基部６２ａの内周面には、外向き凸部６１ｃに係合する内向き凸部６２ｂが設けられている。また基部６２ａの上面には、円筒状になる外周壁６２ｃが設けられている。そして基部６２ａの下面には、塗布部材６１に対して蓋体６２を装着した状態において、基部６２ａの孔に挿入されて排出口６１ｄを閉栓する棒状のシール部６２ｄが設けられている。
【００６１】
また、本実施形態の容器体側磁石１４と容器体磁石ホルダー１５も、図２で説明した塗布具付容器体１と同様に、中央凹部１５ｄに容器体側磁石１４を収容した状態で、環状壁１５ａが外周壁６２ｃに嵌合保持されている。また容器体側磁石１４を取り付ける向きも、上部がＳ極である。
【００６２】
上述したロールオン式容器体５や注出式容器体６を用いる場合も、例えば図１２に示すように、注出式容器体６における容器体側磁石１４と連結体３の第一磁石３３とを磁力吸着させ、ロールオン式容器体５における容器体側磁石１４と第二磁石３４とを磁力吸着させることによって、これらを結合させることができる。
【００６３】
ところでこれまでに述べた実施形態において、種々の容器体と連結体３の結合部分は、図１に示す塗布具付容器体１と連結体３のように、容器体側凹部１５ｅに対して連結体側凸部３１ｄが嵌め合わされ、また外周壁１３ｃに対して基部３１ａが嵌め合わされているため、塗布具付容器体１に対してこれを傾ける向きに力が作用しても簡単に外れることはないが、容器体を傾ける力に対してより強固に保持したい場合には、連結体３に替えて、図１３に示すような連結体３’を使用してもよい。連結体３’は、上述した連結体３に対して環状壁３０ｂの径方向外側に、外筒３０ｅを設けたものである。このような連結体３’は、例えば図１４に示すような塗布具付容器体１、操出式容器体２及びキャップ体４と組み合わせる際、塗布具付容器体１の外周壁１３ｃは、内側において基部３１ａに嵌め合わされ、外側において外筒３０ｅに嵌め合わされる。また操出式容器体２の外周壁２０ｃは、内側において頂壁３０ａに嵌め合わされ、外側において外筒３０ｅに嵌め合わされる。すなわち、外筒３０ｅによって塗布具付容器体１及び操出式容器体２が、連結体３’に対してより傾きにくくなるため、これらを傾ける力に対して強固に保持することができる。
【００６４】
また、図１４に示す連結容器は、塗布具付容器体１の外周壁１３ｃや操出式容器体２の外周壁２０ｃに対して連結体３’の外筒３０ｅが径方向に突出するが、図１５（ａ）に示す操出式容器体２’、及び図１５（ｂ）に示す塗布具付容器体１’を使用することによって、図１６に示すように、外筒３０ｅの外周面を揃えることができる。ここで、図１５（ａ）に示す操出式容器体２’は、図３に示す操出式容器体２のケース本体部２０ａ、外周壁２０ｃに対して外径が大きくなるケース本体部２０ａ’と外周壁２０ｃ’を備えている。なお、ケース本体部２０ａ’の外径は外筒３０ｅの外径に揃えられている。また、外周壁２０ｃ’は、下端部以外の部分の外径が外筒３０ｅの外径に揃えられている。更に操出式容器体２’は、回転筒２１’を備えていて、回転筒２１’の円筒部２１ａ’は、外径が外筒３０ｅの外径に揃えられている。また塗布具付容器体１’は、容器本体１０’と蓋体１３’を備えている。ここで容器本体１０’の胴部１０ａ’は、外径が外筒３０ｅの外径に揃えられている。また蓋体１３’の基部１３ａ’も外径が外筒３０ｅの外径に揃えられている。なお、蓋体１３’の外周壁１３ｃ’は、上端部以外の部分の外径が外筒３０ｅの外径に揃えられている。また、図１６に示す実施形態では、上述した蓋体２５に対して、円筒部２１ａ’にあわせて外径を大きくした蓋体２５’を採用している。またキャップ体４’も、上述したキャップ体４に対して外径を大きくしている。
【００６５】
以上、本発明について具体的な実施形態を示しながら説明したが、本発明に従う連結容器は上述した実施形態に限られるものではなく、特許請求の範囲に従う範疇で種々の変更を加えたものも含まれる。例えばキャップ体４は、塗布具４２に替えて、例えば内容物を収容できるように構成したものでもよい。また、上述した実施形態では、塗布具付容器体１等に容器体側凹部１５ｅを設け、連結体３に連結体側凸部３１ｄを設けたが、凹部を塗布具付容器体１等に設け、凸部を連結体３に設けてもよい。更に、上述した塗布具付容器体１等は、容器体側磁石１４を一端部のみに備えるものであったが、両端部に設けてもよい。この場合は、塗布具付容器体１等の両端部に連結体３を結合することができるため、更に多くの塗布具付容器体１等を連結することができる。
【符号の説明】
【００６６】
１：塗布具付容器体（容器体）
２：操出式容器体（容器体）
３：連結体
４：キャップ体
５：ロールオン式容器体（容器体）
６：注出式容器体（容器体）
１０：容器本体
１０ａ：胴部
１０ｂ：口部
１０ｃ：雄ねじ部
１１：塗布量調整部材
１１ａ：塗布量調整部材本体部
１１ｂ：しごき部
１２：塗布部材
１２ａ：塗布部材本体部
１２ｂ：塗布部
１３：蓋体
１３ａ：基部
１３ｂ：雌ねじ部
１３ｃ：外周壁
１４：容器体側磁石
１５：容器体磁石ホルダー
１５ａ：環状壁
１５ｂ：底壁
１５ｃ：中央部
１５ｄ：中央凹部
１５ｅ：容器体側凹部
２０：ケース
２０ａ：ケース本体部
２０ｂ：溝部
２０ｃ：外周壁
２１：回転筒
２１ａ：円筒部
２１ｂ：雌ねじ部
２１ｃ：溝部
２２：中継筒
２２ａ：基部
２２ｂ：外向きフランジ
２２ｃ：雄ねじ部
２２ｄ：雌ねじ部
２３：移動軸
２３ａ：棒状部
２３ｂ：雄ねじ部
２４：受け皿部材
２４ａ：板状部
２５：蓋体
３０：連結体磁石カバー
３０ａ：頂壁
３０ｂ：環状壁
３０ｃ：凹部
３０ｄ：連結体側凸部
３０ｅ：外筒
３１：連結体磁石ホルダー
３１ａ：基部
３１ｂ：凹部
３１ｃ：環状壁
３１ｄ：連結体側凸部
３２：強磁性体
３３：第一磁石
３４：第二磁石
４０：本体部
４１：嵌合壁
４２：塗布具
４３：蓋体
５０：容器本体
５０ａ：胴部
５０ｂ：口部
５０ｃ：雄ねじ部
５１：保持部材
５１ａ：本体部
５１ｂ：排出口
５１ｃ：保持壁
５２：塗布ボール
５３：蓋体
５３ａ：基部
５３ｂ：雌ねじ部
５３ｃ：外周壁
６０：容器本体
６０ａ：胴部
６０ｂ：口部
６０ｃ：雄ねじ部
６１：塗布部材
６１ａ：塗布部材本体部
６１ｂ：雌ねじ部
６１ｃ：外向き凸部
６１ｄ：排出口
６２：蓋体
６２ａ：基部
６２ｂ：内向き凸部
６２ｃ：外周壁
６２ｄ：シール部
【図１】
2019147599.tif 000003
【図２】
2019147599.tif 000004
【図３】
2019147599.tif 000005
【図４】
2019147599.tif 000006
【図５】
2019147599.tif 000007
【図６】
2019147599.tif 000008
【図７】
2019147599.tif 000009
【図８】
2019147599.tif 000010
【図９】
2019147599.tif 000011
【図１０】
2019147599.tif 000012
【図１１】
2019147599.tif 000013
【図１２】
2019147599.tif 000014
【図１３】
2019147599.tif 000015
【図１４】
2019147599.tif 000016
【図１５】
2019147599.tif 000017
【図１６】
2019147599.tif 000018